(57)【特許請求の範囲】
【請求項１】
１乃至複数の点光源と、入射面から内部に導入した点光源の光を裏面に配設された断面略Ｖ字形状でかつ直線状の鏡面反射手段により反射して表示領域から出射させる導光板とを備えてなる照明装置であって、
前記点光源は、発色光の異なるＬＥＤである複数の点光源又は異なる複数の波長の光を発するＬＥＤであり、
導光板の内部での配光分布を広げる配光調整手段を、導光板の入射面から表示領域に至るまでの間に配設しており、前記配光調整手段は、貫通孔又は非貫通孔であり、かつ、入射面に沿った複数列に配列され、また、点光源の近傍で密に配列され、点光源間で粗に配列されていることを特徴とする照明装置。
【発明の詳細な説明】
【０００１】
【発明の属する技術分野】
本発明は、照明装置及びその製造方法に係り、特に、液晶バックライトなどの面状照明装置の導光板に関する。
【０００２】
【従来の技術】
照明装置の一例であるエッジライト方式のバックライトは、図３０に示すように、光源５１から出た光５２を導光板５３内に入射し、全反射により導光して導光板５３内の全領域に光を行きわたらせる。そして、ドット印刷やシボなどの光反射手段５４、つまり、導光板５３の裏面に対して施された加工である光反射手段５４によって光５２を反射させ、導光板５３の出射面（表示領域）から取り出した光５２ａを、上方に配置された照明対象である液晶パネル５５などに向けて照射することが行われる。この照明装置は、導光板５３の出射面が面状であることにより面状照明装置でもある。
【０００３】
上記した面状照明装置は、光源５１が直接的には見えないため、ランプイメージのない均一な面照明が得られるという利点が確保される。なお、図３０中の取り出した光５２ａは照明光であり、符号５２ｂは漏れ光を示している。また、このものは、ドット印刷やシボなどによる光反射手段５４、換言すれば拡散反射手段を導光板５３の裏面に配設しているが、図３１（ａ）で示すように、導光板５３の裏面に、Ｖ字形状に鏡面仕上げされた複数列のＶ溝５６からなる鏡面反射手段を、導光板５３の入射面５３ａと平行に配設することも行われている。このような鏡面反射手段を配設している場合には、導光板５３から出射配光される照明光５２ａの指向性が図３１（ｂ）で示す拡散反射手段の場合に比して増すことになり、照明装置の前方を効率よく照明し得ることとなる。
【０００４】
一方、近年は、光源５１の低消費電力化が進められており、今まで多用されていた冷陰極蛍光灯（線光源）からＬＥＤ（点光源）が使用されるようになっている。そして、光源５１が冷陰極管などのような線光源５１ａである場合には、図３２（ａ）に示すように、冷陰極管５１ａからの光５２が導光板５３の横方向に対して一定の強度で入射するので、基本的に輝度ムラが生じなかったにも拘わらず、光源５１がＬＥＤなどの点光源５１ｂである場合には、図３２（ｂ）に示すように、導光板５３に入射する光５２の強度が一様でないために、光非到達領域５７が発生して輝度ムラが生じるという問題があった。
【０００５】
すなわち、このような問題は、導光板５３の材料と空気との屈折率の差に起因して生じるものであり、例えば、透光性材料であるアクリル樹脂を導光板５３としている場合には、屈折率が１．４９であることから、スネルの法則より入射した光５２の進行方向は±４２゜の範囲内に限られてしまう。そのため、図３３に示すように、反射板付きの点光源５１ｂとした場合であっても、光５２が到達し得ない領域、つまり、光非到達領域５７が発生することは避けられなかった。なお、図３３中には、スネルの法則に基づく光と屈折率の関係を拡大して示す説明図を付記している。
【０００６】
ところで、特開平１０−２５５５３０公報には、導光板５３の入射面５３ａに凹部５８を設けて光５２を屈折させることとし、導光板５３の全体に光５２を到達する構成とされた照明装置が開示されている。そして、この照明装置では、凹部５８に入射した光５２がスネルの法則にしたがって屈折するため、図３４に示すように、今まで到達し得なかった領域にも光５２が到達し、ＬＥＤなどの点光源５１ｂであったとしても光非到達領域５７が発生しないことになる。このようにして導光板５３内の全ての領域に光５２を行きわたらせれば、拡散反射を利用した光反射手段や光源５１に対して放射状に形成された光反射手段の使用により均一な照明状態が得られる。
【０００７】
【発明が解決しようとする課題】
しかしながら、導光板５３からの出射配光を制御し、指向性を持たせて効率よく照明する技術を利用する場合、すなわち、具体的には、導光板５３の入射面５３ａから内部に導入した光源５１の光５２を裏面に配設された複数列のＶ溝５６によって反射させながら表示領域５３ｂから出射させる導光板５３では、鏡面仕上げされたＶ溝５６である直線状の鏡面反射手段による正反射（鏡面反射）を利用するため、これらＶ溝５６がミラーとして作用することに伴う輝線が現れることになり、面内輝度の均一化に課題を有することとなっていた。すなわち、このような現象が生じるのは、人間の眼で導光板５３を見た場合、Ｖ溝５６で反射された光源５１の像、換言すると、導光板５３の入射面５３ａの像を見ることになるからである。
【０００８】
そして、光源５１の像がスジ状にそのまま写って見えるだけで均一にならず、また、見る方向によってスジが真っ直ぐに見えたり、斜めに見えたりすることとなる。つまり、導光板５３の入射面５３ａに凹部５８を設けた場合、これらの凹部５８が設けられた導光板５３の入射面５３ａが像として見えることとなり、例え光５２が導光板５３内の全領域に行きわたっていても、このような現象が起こることは避けられない。なお、図３５（ａ）は真上から見た状態を示し、図３５（ｂ）は右方から見た状態を示している。
【０００９】
本発明はこのような不都合に鑑みて創案されたものであり、点光源を使用し、かつ、直線状の鏡面反射手段を用いながらも、面内輝度を均一とすることが可能な照明装置と、その製造方法と、を提供することを目的としている。
【００１０】
【課題を解決するための手段】
請求項１に係る発明の照明装置は、１乃至複数の点光源と、入射面から内部に導入した点光源の光を、裏面に配設された断面略Ｖ字形状でかつ直線状の鏡面反射手段により反射して表示領域から出射させる導光板とを備えてなるものであり、導光板の内部での配光分布を広げる配光調整手段を、導光板の入射面から表示領域に至るまでの間に配設しており、配光調整手段は、貫通孔又は非貫通孔であり、かつ、入射面に沿った複数列に配列されていることを特徴とする。
【００１１】
請求項２に係る発明の照明装置は、請求項１に記載の照明装置であって、前記点光源は、発色光の異なるＬＥＤである複数の点光源又は異なる複数の波長の光を発するＬＥＤであることを特徴とする。請求項３に係る発明の照明装置は、請求項１乃至請求項２のいずれかの構成において、導光板と配光調整手段との界面は、鏡面であることを特徴とする
【００１２】
請求項４に係る発明の照明装置は、請求項１乃至請求項３のいずれかの構成において、配光調整手段の断面形状は、導光板の厚み方向で変化しないことを特徴とする。請求項５に係る発明の照明装置は、請求項１乃至請求項４のいずれかの構成において、配光調整手段の各々は、これらの配光調整手段に当たらない光が幾何学的には存在しない状態として配列されていることを特徴とする。請求項６に係る発明の照明装置は、請求項５の構成において、配光調整手段は、格子配列と千鳥配列の組み合わせで配列されていることを特徴とする。請求項７に係る発明の照明装置は、請求項１乃至請求項６のいずれかの構成において、配光調整手段は、点光源の近傍で密に配列され、かつ、点光源間で粗に配列されていることを特徴とする。請求項８に係る発明の照明装置は、請求項１乃至請求項７のいずれかの構成において、導光板の入射面には、回折格子を配設していることを特徴とする。請求項９に係る発明の照明装置は、請求項１乃至請求項８のいずれかの構成において、導光板の入射面には、レンズまたはプリズムを配設していることを特徴とする。
【００１３】
請求項１０に係る発明の照明装置の製造方法は、請求項１乃至請求項７のいずれかの構成を有する照明装置を製造する方法であり、配光調整手段は、リソグラフィーでマスターを作製するマスター作製工程と、マスターを基にした型を電鋳で作製する型作製工程と、型を用いた成形工程及び樹脂充填工程とにより形成されることを特徴とする。請求項１１に係る発明の照明装置の製造方法は、請求項１０の構成を有する照明装置の製造方法であって、成形工程は注型成形であり、この注型成形は真空中または超音波を印加しながら行われることを特徴とする。請求項１２に係る発明の照明装置の製造方法は、請求項１０に記載した製造方法であって、成形工程は射出成形であることを特徴とする。請求項１３に係る発明の照明装置の製造方法は、請求項１１または請求項１２に記載した製造方法であって、成形工程では、導光板と対応した型形状を有する上型及び下型が使用されており、これら上型及び下型の少なくとも一方には配光調整手段と対応した型形状が形成されていることを特徴とする。請求項１４に係る発明の照明装置の製造方法は、請求項１１または請求項１２に記載した製造方法であって、成形工程では、配光調整手段と対応した型形状が形成された上型及び下型が使用されており、これら上型及び下型に形成された型形状は高さが異なっていることを特徴とする。請求項１５に係る発明の照明装置の製造方法は、請求項１１または請求項１２に記載した製造方法であって、成形工程では、配光調整手段と対応した型形状が形成された上型及び下型が使用されており、これら上型及び下型に形成された型形状は互いに位置ずれしていることを特徴とする。請求項１６に係る発明の照明装置の製造方法は、請求項１０に記載した製造方法であり、成形工程は、型による打ち抜き加工であることを特徴とする。請求項１７に係る発明の照明装置の製造方法は、請求項１０に記載した製造方法であって、樹脂充填工程では、導光板よりも屈折率の大きくて配光調整手段となる材料を真空中または超音波を印加しながら充填して硬化させることを特徴とする。
【００１４】
【発明の実施の形態】
以下、本発明の実施の形態を図面に基づいて説明する。
（参考例）図１は参考例に係る照明装置の外観斜視図、図２はその上面及び側面図であり、図３はその変形例を示す上面及び側面図である。
【００１５】
この照明装置は、液晶バックライトなどの面状照明装置であり、図１及び図２に示すように、複数の点光源１と、入射面２ａから内部に導入した点光源１の光３を裏面に配設された断面略Ｖ字形状でかつ直線状の鏡面反射手段、つまり、各々が鏡面仕上げされた複数列のＶ溝４からなる鏡面反射手段により反射して表示領域２ｂから出射させる導光板２と、を備えている。そして、この導光板２における入射面２ａから表示領域２ｂに至るまでの間には、導光板２の内部での配光分布を広げる配光調整手段５が配設されている。なお、点光源１としては、ＬＥＤが一般的であり、本参考例には、点光源１が１つだけ設けられている場合も含まれる。
【００１６】
すなわち、鏡面からなるＶ溝４を光反射手段として用いる導光板２では、これらのＶ溝４がミラーとして作用するため、点光源１からの光３が入射する入
射面２ａの像がそのまま見えることとなり、その結果として輝線が発生する。ところが、本参考例のように、導光板２の出射面の中でも実際に照明に使われる領域、いわゆる表示領域２ｂと入射面２ａとの間に配光調整手段５を設けておいた場合には、配光調整手段５を通って入射した光３が反射や屈折によって拡散することになり、この配光調整手段５が線状の２次光源として機能する。そして、導光板２の入射面２ａよりも表示領域２ｂに近い位置に２次光源である配光調整手段５が配設されていると、この２次光源がＶ溝４でもって反射された像が眼に見えることになる。従って、ＬＥＤなどの点光源１そのものが眼に見えることはなく、線状となった２次光源が見えることとなる結果、冷陰極管などのような線光源を用いている場合と等価な照明状態、つまり、輝度ムラがなくて面内輝度が均一な照明状態が確保される。
【００１７】
なお、配光調整手段５は、入射してきた光３の配光分布を変化させることができるものであれば何でもよく、具体的には、導光板２と屈折率が異なるもの、例えば、反射材などが挙げられる。また、ここでいう鏡面とは光学的な平面を意味しており、反射時の正反射成分が拡散成分に比べて十分大きくなる程度にまで平滑な面の意味である。さらに、本参考例においては、図３（ａ）で示すように、互いに発光色の異なるＬＥＤである複数の点光源１を使用することも可能であり、このような構成とした場合には、異なる色が混ざりあって均一な色度の光を導光板２の表示領域２ｂから取り出すことが可能となる。そこで、例えば、任意の色度の光を発するＬＥＤを点光源１としたうえで互いに近接させながら配置しておけば、これら点光源１のそれぞれが発する色を混ぜあわせた色度の面照明が実現できることなる。また、図３（ｂ）で示すように、１つであっても異なる複数の色度（波長）の光、例えばλ１，λ２を発するようなＬＥＤを点光源１として用いることも可能である。
【００１８】
ところで、本参考例においては、次のような変形例構成を採用することも可能である。以下、図４〜図１３を参照しながら、本参考例に係る第１〜第７変形例構成のそれぞれを以下に説明する。なお、図４は第１変形例構成を示す上面及び側面図、図５は光の屈折に関する説明図であり、図６は第２変形例構成を示す側面図である。また、図７は第３変形例構成を示す上面及び側面図、図８はその機能説明図、図９は第４変形例構成を示す側面図であり、図１０は第５変形例構成を示す側面図、図１１はその要部を拡大して示す説明図である。さらに、図１２は第６変形例構成を示す上面図であり、図１３は第７変形例構成を示す上面図である。
【００１９】
（１）第１変形例構成は、配光調整手段５が透光性材料を用いて形成されたものである。すなわち、反射材である拡散材などを用いて配光調整手段５を形成した場合には、拡散効果は大きいが、反射されて点光源１側へと戻ってしまう光も存在するため、トータルとしての透過光量が減少し、照明に有効利用される効率が低下する。これに対し、透光性材料からなる配光調整手段５であれば、図４に示すように、光３は基本的に配光調整手段５を通過することになり
、屈折による光３の拡散効果を利用して導光板２内における配光分布を広げることができるので、均一な照明状態が確保される。
【００２０】
（２）第２変形例構成は、配光調整手段５が導光板２よりも屈折率の大きい材料を用いて形成されたものである。すなわち、図５に示すように、屈折率の異なる部材間の界面に光が入射すると、界面においてはスネルの法則に基づいて屈折が起こることになり、一方の部材から他方の部材に対して光が入射する場合を想定すると、一方の部材の屈折率ｎ１と他方の部材の屈折率ｎ２の大小に基づいて出射角θ２が入射角θ１より小さくなったり、大きくなったりする。つまり、ｎ１＜ｎ２ではθ１＞θ２、また、ｎ１＞ｎ２ではθ１＜θ２となり、ｎ１＞ｎ２の場合には出射角θ２が入射角θ１よりも大きくなる。
【００２１】
そのため、図６（ａ）で示すようなｎ１＞ｎ２のとき、導光板２の厚み方向では、配光調整手段５に達した光３が入射角よりも大きい出射角で出ていくことになり、導光板２の上側及び下側へと漏れる光３ａが発生する。つまり、本来的には導光される光３が途中で抜け出てしまうため、照明効率のロスが生じることになる。しかしながら、図６（ｂ）で示すように、配光調整手段５が導光板２よりも屈折率が大きい材料で形成されている場合、ｎ１＜ｎ２のときには、界面での屈折が出射角＜入射角となるので厚み方向のロスが発生せず、必ず導光板２内を進行する光３として導光板２内に留まるため、照明効率のロスは生じないことになる。
【００２２】
また、第２変形例構成の配光調整手段５は、導光板２に比して屈折率が０．０１〜０．３程度大きい材料を用いて形成されたものであってもよい。配光調整手段５で光３を拡散させる原理は、２つの部材の界面での屈折によるものであり、１つの界面を通過するときに屈折する角度は、屈折率の差が大きいほど大きくなる。そこで、配光調整手段５の形成材料としては、屈折率が大きくて屈折率の差が大きいことが好ましいが、屈折率が極端に大きくなると、界面での反射が無視できず、照明効率の点で不都合が生じる。逆に屈折率の差があっても、その差が小さ過ぎると、光はほとんど屈折せず、拡散の程度が小さいため、均一化の効果が得られなくなる。ところで、透光性を有し、かつ、屈折率の高い樹脂材料における屈折率は、１．７〜１．８程度までであるから、導光板２の形成材料としてアクリル樹脂を用いる場合には、配光調整手段５の形成材料として導光板２よりも屈折率が０．３程度まで大きい材料を選択することが可能となる。従って、導光板２に比して屈折率が０．０１〜０．３程度大きい材料を用いて配光調整手段５を形成すれば、均一化の面でも効率的に最適な拡散効果が得られる。
【００２３】
（３）第３変形例構成は、導光板２と配光調整手段５との界面が、図７に示すように、連続したレンズまたは曲面であることとしている。すなわち、配光調整手段５そのものをレンズ状あるいは曲面状とした場合には、図８（ａ）に示すように、レンズの曲率やピッチを変化させるのに伴って光３の曲がり方を変化させることが可能となる。従って、導光板２内における光３の拡散状態を自由に調整できることになり、均一性を向上させることができる。なお、配光調整手段５は凸レンズ形状または凹レンズ形状のいずれであってもよく、曲率やピッチも一種類に固定されず、例えば、異なるレンズ形状を組み合わせることも可能である。また、図８（ｂ）に示すように、配光調整手段５を連続する曲面にしてもよく、この場合には、同じ方向からきた光３であっても異なる方向へと屈折させ得るため、より大きな拡散効果が確保される。
【００２４】
（４） 第４変形例構成は、その配光調整手段５の断面形状が、導光板２の厚み方向で変化しない形状とされている。例えば、図９（ａ）で示すように、導光板２の厚み方向で配光調整手段５の断面形状が異なっている場合には、導光板２の上下面から光３ａが漏れ出ることになる。そして、このようになっていると、本来的には導光されるべき光３が途中で導光板２から抜け出てしまうため、当然に照明効率のロスが生じる。これに対し、配光調整手段５の断面形状が導光板２の厚み方向で変化しない場合には、図９（ｂ）で示すように、配光調整手段５が斜め方向に沿って構成されていても厚み方向のロスは発生せず、必ず導光板２内を進行する光３として導光板２内に留まることになる。
【００２５】
（５）第５変形例構成は、導光板２と配光調整手段５との界面が、光学的な鏡面であることとしている。例えば、図１０（ａ）及び図１１（ａ）で示すように、導光板２及び配光調整手段５の界面が面粗度の粗い面である場合、光３はあらゆる方向に向かって屈折することになり、微視的に見たときには、ある束で入射し
てきた光３が界面の凹凸によって散乱させられる。すなわち、このことは、巨視的に見た場合、１本の光線が界面にて散乱させられ、かつ、分岐させられることに相当し、その結果として導光板２の厚み方向における光３の導光成分が変化するため、導光板２の上下面から光３ａが漏れ出してしまう。ところが、図１０（ｂ）及び図１１（ｂ）で示すように、導光板２と配光調整手段５との界面が鏡面としていれば、導光板２の厚み方向における成分変化が起こらないため、この導光板２から光３ａが漏れ出すことがない。
【００２６】
（６）第６変形例構成に係る照明装置は、図１２に示すように、導光板２の入射面２ａに対して回折格子７を取り付けている。本参考例では、導光板２の内部での配光分布を広げる配光調整手段５を入射面２ａから表示領域２ｂに至るまでの間に配設しているが、点光源１からの光３を導光板２の入射面２ａで予め拡散させることも有効である。すなわち、導光板２の入射面２ａは空気中から導光板２の内部へ光３が入射する界面であり、もともと屈折が起こる部分だからである。そこで、導光板２の入射面２ａに回折格子７を取り付けて光３の屈折方向を予め調整してやれば、拡散効果の一部を担わせることが可能となり、入射面２ａで回折された光３をさらに配光調整手段５でもって屈折させることによって面内輝度の均一性が高い照明状態を実現することが可能となる。なお、配光調整手段５を設けることなく、導光板２の入射面２ａに回折格子７を取り付けただけでは、面内輝度の均一性は確保されず、輝線が発生してしまう。すなわち、入射面２ａに加工を施したとしても、この入射面２ａが像として見えるため、見た目の均一性という点では何らの効果も得られない。
【００２７】
（７） 第７変形例構成に係る照明装置では、図１３で示すように、導光板２の入射面２ａに対してプリズム８を取り付けている。なお、図示を省略しているが、プリズム８に代わるレンズを取り付けてもよい。このような構成であれば、導光板２の入射面２ａに取り付けられたプリズム８またはレンズによって屈折させられた光３をさらに配光調整手段５でもって屈折させるので、面内輝度の均一性が高くなり、良好な照明状態が確保される。ただし、配光調整手段５を配設せずにプリズム８またはレンズを取り付けただけでは、面内輝度の均一性は得られず、輝線が発生することになる。
【００２８】
（実施の形態）図１４は実施の形態に係る照明装置の外観斜視図、図１５はその上面及び側面図であり、図１６はその要部を拡大して示す説明図である。なお、これらの図において、図１〜図１３のそれぞれと互いに実質的に同一となる部分には同一符号を付している。
【００２９】
本実施の形態に係る照明装置は、図１４及び図１５で示すように、複数の点光源１と、入射面２ａから内部に導入した点光源１の光３を裏面に配設された断面略Ｖ字形状でかつ直線状の鏡面反射手段、つまり、各々が鏡面仕上げされた複数列のＶ溝４からなる鏡面反射手段により反射して表示領域２ｂから出射させる導光板２とを備えている。そして、この導光板２における入射面２ａから表示領域２ｂに至るまでの間には、断面円形状とされた複数の貫通孔９が入射面２ａに沿う１列状に形成されている。
【００３０】
すなわち、これら各貫通孔９は、導光板２をその厚み方向に貫通しており、その内部には空気が充満しているので、各貫通孔９は参考例における配光調整手段５、つまり、導光板２の内部での配光分布を広げるための配光調整手段５と対応している。従って、このような構成であっても、アクリル樹脂などである導光板２の形成材料と空気との屈祈率の差、並びに、貫通孔９の形状に応じて光３が屈折することになる。なお、ここでは、導光板２に貫通孔９を形成するとしているが、これらの貫通孔９に替えて導光板２を貫通しきっていない非貫通孔を形成してもよく、この場合には、内部に空気が充満している非貫通孔のそれぞれが配光調整手段５と同等のものとして機能する。
【００３１】
ところで、この際における貫通孔９は、その断面形状が円形に限られず、図１６に示すような楕円形や三角形（多角形）であってもよく、また、断面形状の異なる貫通孔９同士が互いに組み合わさるようにして形成されていてもよいことは勿論である。ただし、この構成にあっては、同じ方向から入射してきた光３であっても、配光調整手段５として機能する貫通孔９によって均一となるよう拡散されて配光分布することが好ましいので、貫通孔９の断面形状としては円形や楕円形の方がよいと考えられる。
【００３２】
さらに、本実施の形態においては、次のような変形例構成を採用することも可能である。以下、図１７〜図２２を参照しながら、本実施の形態に係る第８〜第１１変形例構成のそれぞれを以下に説明する。なお、図１７は第８変形例構成を示す外観斜視図、図１８はその上面図であり、図１９は第９変形例構成を示す上面図である。また、図２０及び図２１は第１０変形例構成を示す上面図であり、図２２は第１１変形例構成を示す上面図である。
【００３３】
（１）第８変形例構成は、図１７及び図１８で示すように、配光調整手段５として機能する貫通孔９が導光板２の入射面２ａに沿った複数列に配列されたものである。このように貫通孔９を複数列に配列すれば、点光源１から入射してくる光３が配光調整手段５として機能する貫通孔９に当たる確率が増加し、反射及び屈折によって光３の進行方向が変化する回数が増えることになる。そして、貫通孔９には、光３を拡散させる効果があるため、複数回にわたって当たりながら貫通孔９同士の間を通過することにより、導光板２内は徐々にランダムな配光分布に近づくことになり、最終的には一様な拡散配光状態となる。従って、面内輝度の均一な照明状態が確保される。
【００３４】
（２）第９変形例構成は、配光調整手段５として機能する貫通孔９の各々が、これらに当たらない光３が幾何学的には存在しない状態、つまり、図１９で示すように、全く不規則なランダム状態として配列されたものである。すなわち、貫通孔９が１列状とされている場合、あるいはまた、複数列であってもある角度では光３が通り抜けることが可能な場合には、点光源１から入射してきた光３の一部が貫通孔９には当たらずに直進する。すると、この光３は屈折されないことになり、導光板２内で分散させられないため、点光源１から入射した強度分布のままでの導光成分として残ることになる。その結果、導光板２には、ある特定の方向に沿った輝線が現れてしまう。
【００３５】
そこで、第９変形例構成においては、どの方向から入射してきた光３であっても必ず当たるよう貫通孔９を配列している。このようにすれば、点光源１からの光３は少なくとも一度は貫通孔９に当たり、貫通孔９に当たった光３は屈折させられていずれかの方向へと進行方向を変えることになる。その結果、入射時には同一の方向に沿って進行していた光３も、徐々に拡散されてランダムな配光分布となる。
【００３６】
（３）第１０変形例構成は、配光調整手段５となる多数の貫通孔９それぞれが格子配列と千鳥配列の組み合わせとして配列されている。すなわち、各貫通孔９の各々は、格子配列及び千鳥配列を組み合わせた状態として配列されている。すなわち、点光源１から導光板２内へと入射する光３を貫通孔９に当てるには、入射した光３がそのまま出射してしまう経路を無くすことが必要であるにも拘わらず、図２０（ａ）で示すような格子配列の場合には直進する光３が抜けることになり、また、図２０（ｂ）で示すような千鳥配列とした場合には３０゜だけ傾斜して直進する光３が通過することになる。
【００３７】
ところが、図２１で示すように、格子配列及び千鳥配列を組み合わせた状態として貫通孔９を配列している場合には、光３が直進しながら抜けてしまう方向が存在しないこととなる。つまり、列方向の規則性をなくすようにして貫通孔９を配列すれば、抜けないパターン配列にすることが可能となり、このような配列としておけば、導光板２の表示領域２ｂにおける面内輝度を均一化して照明状態が良好となる。
【００３８】
（４）第１１変形例構成は、配光調整手段５である貫通孔９が、図２２で示すように、点光源１の近傍では密に配列され、また、点光源１同士間では粗に配列されたものである。配光調整手段５として機能する貫通孔９が光３を拡散させる効果は、これらの貫通孔９が列状として配設されている限りはどの位置においても同じである。しかしながら、もともと点光源１を用いているため、この点光源１の近傍には多くの光３が存在しており、これら点光源１同士間には光量の少ない光３しか到達しない。そのため、点光源１の近傍では光３を十分に拡散させる必要があり、逆に、点光源１同士間においては到達するまでの間に光３がある程度拡散されるので、さらに拡散させる必要性は少ないと考えられる。そこで、配光調整手段５として機能する貫通孔９の配置状態にある程度の粗密を持たせてやれば、光３を十分に拡散することが可能となり、しかも、必要最小限数以上の貫通孔９を設ける必要がなくなるという利点が確保される。
【００３９】
ところで、実施の形態においても、参考例同様、配光調整手段５である貫通孔９と導光板２との界面が鏡面であり、かつ、これら貫通孔９の断面形状が導光板２の厚み方向で変化しないことが好ましく、また、導光板２の入射面２ａに対して回折格子７またはプリズム８を配設することが好ましいことは勿論である。
【００４０】
次に、参考例及び実施の形態に係る照明装置が備える導光板２及び配光調整手段５の製造方法を、製造手順を示す図２３に基づいて説明する。
【００４１】
照明装置の導光板２が備える配光調整手段５は、リソグラフィーでマスターを作製するマスター作製工程と、マスターを基にした型を電鋳で作製する金型作製工程と、型を用いた成形工程及び樹脂充填工程とからなるＬＩＧＡプロセスにより形成される。すなわち、この製造方法においては、図２３でイメージ化して示すように、マスクを形成してレジストを塗布し、露光して現像するリソグラフィー技術を利用してマスターを作製した後、引き続き、作製されたマスターを使用して金型を作製することを行ったうえ、さらに、この金型を用いた成形及び樹脂充填によって樹脂成型品である導光板２を形成することが行われる。
【００４２】
ところで、本実施の形態に係る導光板２は、Ｖ溝４による反射屈折によって出射配光を制御し、前方への出射を増やすことで輝度を向上させるものである。しかしながら、配光調整手段５の内壁面（貫通孔９の内面）が粗面であり、点光源１から入射してきた光３が導光板２と配光調整手段５との界面で拡散させられると、配光制御される光３の割合が低下し、その指向性が落ちることになる。そこで、導光板２の製造方法にあっては、配光調整手段５の内壁面が光学的な鏡面として仕上がっており、かつ、導光板２の厚み方向での形状変化がないことが望ましいとされる。
【００４３】
そして、図２３で示したような製造手順、つまり、リソグラフィーによるマスターの作製と、電鋳による金型の作製と、金型を用いた成形及び樹脂充填による成型品の作製とからなる製造方法の採用によっては、上記の条件を満たすことができる。例えば、ドリルを使用した場合には、工具の回転に伴う小さな傷の発生が避けられないが、ＳＲ光やＵＶ光を利用したリソグラフィーであれば、アスペクト比の大きい形状であっても微細加工が可能となる。また、内面の滑らかな貫通孔９を形成することも容易となる。従って、本実施の形態に係る製造方法によれば、今まで得られなかった鏡面加工が可能であり、界面での散乱を抑えることが可能になる。
【００４４】
さらに、この導光板２の成形工程は注型成形であり、この注型成形は真空中または超音波を印加しながら行われることが好ましい。すなわち、配光調整手段５の内壁面を鏡面とし、導光板２の厚み方向での形状変化が発生することを避けるには、成形工程が非常に重要である。なぜならば、空気を巻き込んで気泡が発生したり、十分に転写せずに形状が崩れていたりすると、光学的な特性に顕著に影響を及ぼし、導光板２の性能低下を招くからである。
【００４５】
しかしながら、導光板２の成形工程で注型成形を採用した場合には、成形時に圧力を加えることが行われないため、微細な形状となるに連れ、特には転写性に問題が生じやすくなる。そこで、注型成形を行うに際し、真空引きを行って空気を除去しておいたり、超音波の振動でもって樹脂の充填を促進することを行うようにすれば、上記した転写性などの問題を確実に排除することが可能となり、良好な性能を有する導光板２を作製し得ることとなる。
【００４６】
また、導光板２の成形工程においては、射出成形を採用してもよく、射出成形とした場合には成形時に圧力を加えることが可能となる。そのため、注型成形の場合よりも転写性が高まることになり、導光板２におけるロスを防止して光の利用効率を高めることができる。そして、成形サイクルが短くて済むことにもなるため、導光板２の生産性向上をも図り得ることとなる。
【００４７】
さらにまた、導光板２の成形工程では、導光板２と対応した型形状を有する上型及び下型が使用されており、これら上型及び下型の少なくとも一方には配光調整手段５である貫通孔９と対応した型形状が形成されている。そして、このものにおいては、図２４（ａ）で示すように、平板形状の上型２１と、貫通孔９と対応するピン２２が上向きに突設された下型２３とが対向して組み合わされた成形用金型２４、または、図２５（ａ）で示すように、貫通孔９と対応する一対のピン２５同士が対向しあう面上それぞれに下向き及び上向きとして突設された上型２６と下型２７とが組み合わされた成形用金型２８が使用される。
【００４８】
すなわち、配光調整手段５である貫通孔９が微細であり、かつ、その幅に対する高さが大きい形状、いわゆるアスペクト比が大きい形状である場合には、ピン２２，２５の各々が突設された下型２３または上型２６及び下型２７を使用することが必要となり、アスペクト比が大きいほど離型時の抵抗が大きくなるため、これらのピン２２，２５には、図２４（ｂ），図２５（ｂ）で示すように、通常２〜３゜程度のテーパ角を付与しておくことが行われる。このとき、成形用金型２４の場合、つまり、下型２３にのみピン２２を突設している場合、テーパ角を付与することによって高さに対応した分だけ幅も減少するのに対し、上型２６及び下型２７の双方にピン２５が突設された成形用金型２８の場合には、見かけ上のアスペクト比が半分となるため、幅の減少を抑えることができる。そして、このことは、導光板２の厚み方向で配光調整手段５である貫通孔９の断面形状が大きく変化しないことを意味しており、そのため、導光板２の厚み方向における拡散性能を均一化しやすくなるといえる。なお、この場合には、成形用金型２４の下型２３だけ、つまり、片方にだけ突設されたピン２２の先端寸法ｗ１に比べると、成形用金型２８の上型２６及び下型２７双方に突設されたピン２５の先端寸法ｗ２の方が若干大きく設定されているのが一般的である。
【００４９】
ところで、導光板２の成形工程においては、図２６に、第１変形例構成として示すような成形用金型３１、つまり、配光調整手段５である非貫通孔と対応した型形状のピン３２が形成された上型３３及び下型３４からなり、これら上型３３及び下型３４のそれぞれに形成されたピン３３の高さが互いに異なるものを使用してもよい。すなわち、図２５（ａ），（ｂ）に示したように、成形用金型２８となる上型２６及び下型２７に突設されたピン２５それぞれの高さがすべて同じあり、かつ、これらのピン２５によって形成される配光調整手段５が非貫通孔である場合には、導光板２に形成されて対向しあう非貫通孔の間を光３が通り抜けることとなる恐れがある。
【００５０】
これに対し、図２６に示した構成の成形用金型３１を成形工程で使用することとした場合、ピン３３それぞれの高さを互いに異ならせておけば、導光板２に形成されて対向しあう非貫通孔間に隙間が生じないこととなる。その結果、上記したような光３の通り抜けを防止することが可能となり、確実な配光調整によって光３を拡散させることができる。より具体的には、ピン３３の高さを２段階に設定して隣りあうピン３３同士の高さを同じにならないよう配置したり、ピン３３のそれぞれを全く異なったランダムな高さとすることが行われる。なお、図２６中の矢印は、光３が通り抜ける隙間がないことを示している。
【００５１】
また、導光板２の成形工程にあっては、図２７に、第２変形例構成として示すような成形用金型３５、つまり、配光調整手段５となる貫通孔９と対応した型形状であるピン３６が形成された上型３７及び下型３８からなり、これらの上型３７及び下型３８に形成されているピン３６の各々が互いに位置ずれしているものを使用することが好ましい。すなわち、図２８で示す比較例としての成形用金型３９のように、配光調整手段５を形成するテーパ付きのピン４０が下型４１のみに突設されている場合には、作製済みとなった導光板２の厚み方向における位置、例えば、Ａ−Ａ断面の位置とＢ−Ｂ断面の位置とによって貫通孔９の占める割合が異なる。そして、このようになっていると、導光板２のＡ−Ａ断面の位置とＢ−Ｂ断面の位置とで光３の通過する割合が相違しているため、光３の拡散される割合も異なることになる。しかしながら、図２７で示すような構成とされた成形用金型３５であれば、作製済みとなった導光板２の厚み方向におけるＡ−Ａ断面の位置とＢ−Ｂ断面の位置とのいずれでも、貫通孔９の占める割合が略等しくなる。そのため、導光板２の厚み方向における配光調整手段５の占める割合が平均的に同じであることになり、拡散による配光調整の均一性が確保されてピン３６に付与されたテーパ角の影響が現れないことになる。
【００５２】
ところで、本実施の形態では、注型成形または射出成形を採用して導光板２を成形することとしているが、注型成形または射出成形を採用する必然性があるわけではなく、導光板２の成形工程で型による打ち抜き加工を採用することも可能である。すなわち、図２９（ａ）〜（ｄ）で順序を追って示すように、打ち抜き型４５を用いて基材４６の打ち抜き加工することにより、基材４６からなる導光板２を得る方法である。そして、このような打ち抜き加工を採用した場合には、注型成形や射出成形のように導光板２となる材料が液体状態ではないため、気泡を巻き込むことなく、導光板２を容易に作製し得ることとなる。
【００５３】
さらにまた、本実施の形態に係る導光板２の製造方法における樹脂充填工程では、導光板２よりも屈折率の大きくて配光調整手段５となる材料を真空中または超音波を印加しながら充填して硬化させることが行われる。すなわち、照明装置が備える配光調整手段５は、最終的には導光板２の屈折率よりも屈折率の高い材料を用いたうえで形成されることになっている。しかしながら、導光板２の成形時と同様、配光調整手段５となる樹脂の充填時にも形状が微細であり、かつ、アスペクト比も大きいので、その充填方法に工夫が必要となる。そして、この際に重要となるのは、やはり空気を巻き込まないことである。そこで、充填樹脂を流し込んだ後に真空引きして空気（気泡）を除去したり、超音波の振動を利用して巻き込まれた空気を排出することとし、このような樹脂充填工程でもって配光調整手段５を形成するようにすれば、導光板２の内部における配光分布を広げるのに適した配光調整手段５を形成することが容易となる。
【００５４】
【発明の効果】
請求項１に係る発明の照明装置は、導光板の内部での配光分布を広げる配光調整手段を導光板の入射面から表示領域に至るまでの間に配設している。従って、反射屈折による光の拡散でもって配光調整手段が２次光源として機能することになり、線光源と同様の均一な照明状態が確保できるという効果が得られる。また、配光調整手段が、貫通孔または非貫通孔とされているので、加工の容易な孔を形成するだけのことによって屈折率差を確実かつ簡単に持たせられることとなり、線光源と同様の均一な照明状態を確保できる。さらに、配光調整手段が、複数列でもって配列されているので、光の反射回数及び屈折回数が増えることになり、導光板の表示領域における照明状態の均一性が向上させられる。
【００５５】
請求項２に係る発明の照明装置のように、点光源が発色光の異なるＬＥＤである複数の点光源又は異なる複数の波長の光を発するＬＥＤであっても、請求項１に記載の照明装置であれば照明状態の均一性を向上させることができる。
請求項３に係る発明の照明装置は、導光板と配光調整手段との界面が鏡面であるようにしているので、請求項１乃至２のいずれかの効果に加え、配光調整手段を通過する際の界面での散乱を防止することが可能となり、導光板の上下面から光が漏れ出ることに伴うロスを低減できる。
【００５６】
請求項４に係る発明の照明装置は、その配光調整手段の断面形状が、導光板の厚み方向で変化しないようにしているので、請求項１乃至３のいずれかの効果に加え、配光調整手段を通過する際の屈折によって導光板の上下面から光が漏れ出すことがなくなり、ロスが生じることを未然に防止できる。請求項５に係る発明の照明装置は、その配光調整手段が、これらに当たらない光が幾何学的には存在しない状態として配列されているので、入射光が配光調整手段に当たらず、請求項１乃至請求項４のいずれかの効果に加え、特定の方向に抜けた場合に生じる輝線が発生することを有効に防止でき、照明状態の均一性が向上させられる。請求項６に係る発明の照明装置は、その配光調整手段が、格子配列と千鳥配列の組み合わせで配列されているので、入射光が配光調整手段に当たらず、特定の方向に抜けた場合に生じる輝線の発生を防止でき、照明状態の均一性をより向上させることができる。
【００５７】
請求項７に係る発明の照明装置は、その配光調整手段が、点光源の近傍で密に配列され、かつ、点光源間で粗に配列されているので、光源近傍の輝度の高い領域を目立たなくすることができ、請求項１乃至請求項６のいずれかの効果に加え、照明装置全体における照明状態の均一性を向上させ得る。さらに、このものは、必要以上の配光調整手段を設けなくて済むという利点も確保される。請求項８に係る発明の照明装置は、その導光板の入射面には、回折格子が配設されており、また、本発明の請求項９に係る発明の照明装置は、導光板の入射面にレンズまたはプリズムが配設されているので、これらの構成によれば、回折効果と配光調整手段での拡散効果により、請求項１乃至８の効果に加え、さらに照明状態の均一性を向上させることができる。
【００５８】
請求項１０に係る発明の照明装置の製造方法は、リソグラフィーでマスターを作製するマスター作製工程と、マスターを基にした型を電鋳で作製する型作製工程と、型を用いた成形工程及び樹脂充填工程とにより配光調整手段を形成しているので、その配光調整手段は、その内壁面の粗度が小さくなって鏡面とみなせるため、界面での散乱が少ない成形品が得られることになり、指向性の高い配光制御が可能となる。
【００５９】
請求項１１に係る発明の照明装置の製造方法は、成形工程が注型成形であり、この注型成形が真空中または超音波を印加しながら行われるので、気泡が除去されて成形樹脂の充填性が向上することになり、微細形状の転写性がよくなるため、請求項１０の効果に加え、光学的にロスの少ない成形品が得られる。請求項１２に係る発明の照明装置の製造方法は、成形工程が射出成形であることから、転写性が向上することになり、請求項１０の効果に加え、その分だけ光学的にロスの少ない成形品が得られることになる。また、注型成形に比べてタクトを短縮することが可能となり、生産性の向上を実現できる。
【００６０】
請求項１３に係る発明の照明装置の製造方法は、その成形工程において、導光板と対応した型形状を有する上型及び下型が使用されており、これら上型及び下型の少なくとも一方には配光調整手段と対応した型形状が形成されているので、見かけ上のアスペクト比を小さくすることができ、請求項１１又は請求項１２の効果に加え、離型のために必要なテーパ角の影響を小さく抑えることができる。請求項１４に係る発明の照明装置の製造方法は、その成形工程において、配光調整手段と対応した型形状が形成された上型及び下型を使用することとし、これら上型及び下型に形成された型形状は高さが異なっているので、上型及び下型を使用する場合には、配光調整手段に当たらずに通過する光がなくなるので、請求項１１又は請求項１２の効果に加え、均一な拡散が確実に行える。請求項１５に係る発明の照明装置の製造方法は、その成形工程において、配光調整手段と対応した型形状が形成された上型及び下型が使用されており、これら上型及び下型に形成された型形状は互いに位置ずれしているので、離型のために必要なテーパ角の影響を導光板の厚み方向で均一にすることが可能となり、請求項１１又は請求項１２の効果に加え、離型が容易に行えることとなる。請求項１６に係る発明の照明装置の製造方法は、その成形工程が、型による打ち抜き加工であるため、注型成形のように気泡を巻き込むことがなくなり、請求項１０の効果に加え、光学的にロスの少ない成形品が得られる。請求項１７に係る発明の照明装置の製造方法は、その樹脂充填工程では、導光板よりも屈折率の大きくて配光調整手段となる材料を真空中または超音波を印加しながら充填して硬化させているので、気泡を除去することが可能となり、充填性が向上することとなる結果、請求項１０の効果に加え、光学的にロスの少ない成形品を得ることができる。
【図面の簡単な説明】
【図１】参考例に係る照明装置の外観斜視図である。
【図２】その上面及び側面図である。
【図３】その変形例を示す上面及び側面図である。
【図４】参考例に係る照明装置の第１変形例構成を示す上面及び側面図である。
【図５】屈折率に関する説明図である。
【図６】第２変形例構成を示す側面図である。
【図７】第３変形例構成を示す上面及び側面図である。
【図８】その機能説明図である。
【図９】第４変形例構成を示す側面図である。
【図１０】第５変形例構成を示す側面図である。
【図１１】その要部を拡大して示す説明図である。
【図１２】第６変形例構成を示す上面図である。
【図１３】第７変形例構成を示す上面図である。
【図１４】実施の形態に係る照明装置の外観斜視図である。
【図１５】その上面及び側面図である。
【図１６】その要部を拡大して示す説明図である。
【図１７】第８変形例構成を示す外観斜視図である。
【図１８】その上面図である。
【図１９】第９変形例構成を示す上面図である。
【図２０】第１０変形例構成を示す上面図である。
【図２１】第１０変形例構成を示す上面図である。
【図２２】第１１変形例構成を示す上面図である。
【図２３】導光板の製造手順を示す説明図である。
【図２４】成形用金型の構成を示す説明図である。
【図２５】成形用金型の構成を示す説明図である。
【図２６】成形用金型の第１変形例構成を示す説明図である。
【図２７】成形用金型の第２変形例構成を示す説明図である。
【図２８】第２変形例構成の比較例を示す説明図である。
【図２９】導光板の製造手順を示す説明図である。
【図３０】従来の形態に係る照明装置の全体構成を示す側面図である。
【図３１】従来の形態に係る導光板の構成を示す側面図である。
【図３２】従来の形態に係る導光板の構成を示す上面図である。
【図３３】従来の形態に係る導光板の第１変形例構成を拡大して示す側面図である。
【図３４】従来の形態に係る導光板の第２変形例構成を示す側面図である。
【図３５】従来の形態に係る導光板の第２変形例構成における問題を示す説明図である。
【符号の説明】
１    点光源
２    導光板
２ａ    導光板の入射面
２ｂ    導光板の表示領域
３    光
４    Ｖ溝
５    配光調整手段
７    回折格子
８    プリズム
９    貫通孔
【図１】
0004465937.tif 000002
【図２】
0004465937.tif 000003
【図３】
0004465937.tif 000004
【図４】
0004465937.tif 000005
【図５】
0004465937.tif 000006
【図６】
0004465937.tif 000007
【図７】
0004465937.tif 000008
【図８】
0004465937.tif 000009
【図９】
0004465937.tif 000010
【図１０】
0004465937.tif 000011
【図１１】
0004465937.tif 000012
【図１２】
0004465937.tif 000013
【図１３】
0004465937.tif 000014
【図１４】
0004465937.tif 000015
【図１５】
0004465937.tif 000016
【図１６】
0004465937.tif 000017
【図１７】
0004465937.tif 000018
【図１８】
0004465937.tif 000019
【図１９】
0004465937.tif 000020
【図２０】
0004465937.tif 000021
【図２１】
0004465937.tif 000022
【図２２】
0004465937.tif 000023
【図２３】
0004465937.tif 000024
【図２４】
0004465937.tif 000025
【図２５】
0004465937.tif 000026
【図２６】
0004465937.tif 000027
【図２７】
0004465937.tif 000028
【図２８】
0004465937.tif 000029
【図２９】
0004465937.tif 000030
【図３０】
0004465937.tif 000031
【図３１】
0004465937.tif 000032
【図３２】
0004465937.tif 000033
【図３３】
0004465937.tif 000034
【図３４】
0004465937.tif 000035
【図３５】
0004465937.tif 000036